(57)【要約】【課題】冷房使用中に快適なトイレ空間を得るための水洗トイレ用冷房装置の提供を目的とする。【解決手段】圧縮機２と凝縮器３と減圧手段４と蒸発器５と送風機７と冷媒管６を備えた冷房装置１と、前記凝縮器３を水没させかつ便器１２の洗浄水を貯水する水タンク８と、冷風吹出し口１０と、前記送風機７と前記冷風吹出し口１０とを連通する風洞１１とを備え、前記風洞１１は、柔軟な特性を持つ構成とすることにより、圧縮機２の振動が外郭ケース９に伝わるのを軽減し、冷房時の快適性を向上させることができる。【選択図】図１
2005232684.tif 000002
【特許請求の範囲】
【請求項１】
圧縮機と凝縮器と減圧手段と蒸発器と送風機とを備えた冷房装置と、前記凝縮器を水没させかつ便器の洗浄水を貯水する水タンクと、冷風吹出し口と、前記送風機と前記冷風吹出し口とを連通する風洞とを備え、前記風洞は、柔軟な特性を持つ水洗トイレ用冷房装置。
【請求項２】
風洞は、ゴムまたは樹脂等の柔軟材質で形成してなる請求項１に記載の水洗トイレ用冷房装置。
【請求項３】
風洞は、自由自在な形状で形成してなる請求項１または２に記載の水洗トイレ用冷房装置。
【請求項４】
圧縮機と凝縮器と減圧手段と蒸発器と送風機とを備えた冷房装置と、前記凝縮器を水没させかつ便器の洗浄水を貯水する水タンクと、冷風吹出し口と、前記送風機からの冷風を前記冷風吹出し口へ導く風洞とを備え、前記風洞と前記冷風吹出し口とが当接しないように構成した水洗トイレ用冷房装置。
【請求項５】
風洞の外形は、冷風吹出し口との接続開口部より小さく形成してなる請求項４に記載の水洗トイレ用冷房装置。
【請求項６】
風洞の端部を、冷風吹出し口の接続部端面より内側に配置してなる請求項４または５に記載の水洗トイレ用冷房装置。
【請求項７】
冷房装置及び水タンクを外郭ケース内に収め、冷風吹出し口は前記外郭ケースに設けた請求項１〜６のいずれか１項に記載の水洗トイレ用冷房装置。
【発明の詳細な説明】
【技術分野】
【０００１】
本発明は、トイレ空間または人体を直接冷房する冷房装置を設ける水洗トイレ用冷房装置に関するものである。
【背景技術】
【０００２】
従来、冷凍サイクルを用いかつその凝縮器の冷却手段として水タンク内の洗浄水を利用する冷房装置は、すでに知られている（例えば、特許文献１参照）。
【特許文献１】実開昭６３−１９０３７３号公報
【発明の開示】
【発明が解決しようとする課題】
【０００３】
しかしながら、前記従来の構成では、圧縮機と冷媒管で繋がれた蒸発器と送風機が、水タンクを収める外郭ケースの冷風吹出し部に直接取り付けられているので、圧縮機の振動が外郭ケースから便器を介して人体に伝わるため、振動やそれによって発生する異音等により、冷房中不快感を与えるという問題があった。
【０００４】
本発明は、前記従来の課題を解決するもので、冷房使用中に快適なトイレ空間を得るための水洗トイレ用冷房装置の提供を目的とする。
【課題を解決するための手段】
【０００５】
前記従来の課題を解決するために、本発明の水洗トイレ用冷房装置は、圧縮機と凝縮器と減圧手段と蒸発器と送風機とを備えた冷房装置と、前記凝縮器を水没させかつ便器の洗浄水を貯水する水タンクと、冷風吹出し口と、前記送風機と前記冷風吹出し口とを連通する風洞とを備え、前記風洞は、柔軟な特性を持つ構成とする。
【０００６】
これにより、風洞が柔軟な特性を持っていることで、冷房装置の圧縮機の振動が外郭ケースに伝わるのを軽減することができ、冷房使用中に快適なトイレ空間を得ることができる。
【０００７】
また、本発明の水洗トイレ用冷房装置は、圧縮機と凝縮器と減圧手段と蒸発器と送風機とを備えた冷房装置と、前記凝縮器を水没させかつ便器の洗浄水を貯水する水タンク、と冷風吹出し口と、前記送風機からの冷風を前記冷風吹出し口へ導く風洞とを備え、前記風洞と前記冷風吹出し口とが当接しないような構成とする。
【０００８】
これにより、風洞と冷風吹出し口とが当接しないので、冷房装置の圧縮機の振動が外郭ケースに伝わるのを軽減することができ、冷房使用中に快適なトイレ空間を得ることができる。
【発明の効果】
【０００９】
本発明の水洗トイレ用冷房装置は、冷房装置の圧縮機の振動が外郭ケースに伝わるのを軽減することができ、冷房使用中に快適なトイレ空間を得ることができる。
【発明を実施するための最良の形態】
【００１０】
第１の発明は、圧縮機と凝縮器と減圧手段と蒸発器と送風機とを備えた冷房装置と、前記凝縮器を水没させかつ便器の洗浄水を貯水する水タンクと、冷風吹出し口と、前記送風機と前記冷風吹出し口とを連通する風洞とを備え、前記風洞は、柔軟な特性を持つ水洗トイレ用冷房装置としたことにより、風洞が柔軟な特性を持っていることで、冷房装置の圧縮機の振動が外郭ケースに伝わるのを軽減することができ、冷房使用中に快適なトイレ空間を得ることができる。
【００１１】
第２の発明は、特に、第１の発明における風洞を、ゴムまたは樹脂等の柔軟材質で形成してなることにより、風洞の材質を配慮したことで、冷房装置の圧縮機の振動が外郭ケースに伝わるのを軽減することができ、冷房使用中に快適なトイレ空間を得ることができる。
【００１２】
第３の発明は、特に、第１または第２の発明における風洞を、自由自在な形状で形成してなることにより、風洞の形状を配慮したことで、冷房装置の圧縮機の振動が外郭ケースに伝わるのを軽減することができ、冷房使用中に快適なトイレ空間を得ることができる。
【００１３】
第４の発明は、圧縮機と凝縮器と減圧手段と蒸発器と送風機とを備えた冷房装置と、前記凝縮器を水没させかつ便器の洗浄水を貯水する水タンクと、冷風吹出し口と、前記送風機からの冷風を前記冷風吹出し口へ導く風洞とを備え、前記風洞と前記冷風吹出し口とが当接しないように構成した水洗トイレ用冷房装置とすることにより、風洞と冷風吹出し口とが当接しないので、冷房装置の圧縮機の振動が外郭ケースに伝わるのを軽減することができ、冷房使用中に快適なトイレ空間を得ることができるとともに、風洞の材質を金属等の硬い材質に置き換えても相応の効果を発揮する。
【００１４】
第５の発明は、特に、第４の発明における風洞の外形を、冷風吹出し口との接続開口部より小さく形成してなることにより、風洞の外形を配慮したことで、冷房装置の圧縮機の振動が外郭ケースに伝わるのを軽減することができ、冷房使用中に快適なトイレ空間を得ることができる。
【００１５】
第６の発明は、特に、第４または第５の発明における風洞の端部を、冷風吹出し口の接続部端面より内側に配置してなることにより、風洞の端面配置を配慮したことで、冷房装置の圧縮機の振動が外郭ケースに伝わるのを軽減することができ、冷房使用中に快適なトイレ空間を得ることができるとともに冷風は洩れ難く、組立がよい。
【００１６】
第７の発明は、特に、第１〜第６のいずれか１つの発明における冷房装置及び水タンクを外郭ケース内に収め、冷風吹出し口は前記外郭ケースに設けたことにより、冷房装置及び水タンク、冷風吹出し口の配置を配慮したことで、各発明の構成と相俟って冷房装置の圧縮機の振動が外郭ケースに伝わるのを軽減することができ、冷房使用中に快適なトイレ空間を得ることができる。
【００１７】
以下、本発明の実施の形態について、図面を参照しながら説明する。なお、この実施の形態によって本発明が限定されるものではない。
【００１８】
（実施の形態）
図１〜図７は、本発明の実施の形態における水洗トイレ用冷房装置を示すものである。
【００１９】
図１〜図４に示すように、冷房装置１は、圧縮機２と、凝縮器３と、減圧手段４と、蒸発器５を冷媒管６で配管し、冷凍サイクルを形成され、送風機７を備えており、前記凝縮器２を水没させかつ便器１２を洗浄するための水を貯水する水タンク８の外郭ケース９内に収納されている。
【００２０】
外郭ケース９の壁には、冷風吹出し口１０を備えおり、冷風吹出し口１０と送風機７とは、風洞１１で連通されている。風洞１１は、柔軟な特性を持つもの、例えば、ゴムまたは樹脂等の柔軟材質で形成され、さらに圧縮器２の下部には、冷房装置固定台１３との間に防振部材１２が設けられている。
【００２１】
以上のように構成された本実施の形態では、冷房装置１と起動と同時に発生する圧縮機２の振動を防振部材１２と柔軟な特性を持つ風洞１１によって外郭ケース９に伝わるのを軽減し、冷房時の快適性を向上させることができる。
【００２２】
また、図５に示すように、風洞１１を、蛇腹形状等、自由自在な形状に形成して柔軟な特性を持つようにすることにより、冷房装置１の圧縮機２の振動が外郭ケース９に伝わるのを軽減することができ、冷房使用中に快適なトイレ空間を得ることができる。
【００２３】
また、図６に示すように、風洞１１と冷風吹出し口１０とが当接しないように空間を構成することにより、風洞１１と冷風吹出し口１０とが当接しないので、冷房装置の圧縮機の振動が外郭ケースに伝わるのを軽減することができ、冷房使用中に快適なトイレ空間を得ることができる。特に、風洞１１の外形を、冷風吹出し口１０との接続開口部より小さく形成することにより、冷房装置１の圧縮機２の振動が外郭ケース９に伝わるのをより軽減することができる。なお、この場合、風洞１１の内径面積を送風機７の吹出し口開口面積より大きくして圧力損失を小さくすることは言うまでもない。
【００２４】
さらに、図７に示すように、風洞１１の接続部の端面１１ａを、冷風吹出し口１０との接続部端面１０ａより内側に配置することにより、冷風は洩れ難く、組立においての接続が簡単にでき構成が安易にできるとともに冷房装置１の圧縮機２の振動が外郭ケース９に伝わるのを軽減することができる。
【００２５】
また、風洞１１と冷風吹出し口１０が当接しないようにすれば、風洞１１の材質を金属等の硬い材質に置き換えても相応の効果を発揮することは言うまでもなく、加工性やコスト等の必要性に応じて違った材質や構成をとることが可能である。
【産業上の利用可能性】
【００２６】
以上のように、本発明にかかる水洗トイレ用冷房装置は、冷房装置の圧縮機の振動が外郭ケースに伝わるのを軽減することができ、冷房使用中に快適なトイレ空間を得ることができるもので、トイレの冷房装置として有用である。
【図面の簡単な説明】
【００２７】
【図１】本発明の実施の形態における水洗トイレ用冷房装置の斜視図
【図２】同水洗トイレ用冷房装置の内部構成を示す正面図
【図３】同水洗トイレ用冷房装置の側断面図
【図４】同水洗トイレ用冷房装置における冷房装置の風洞要部の側断面図
【図５】同水洗トイレ用冷房装置における冷房装置の風洞要部の第１例を示す側断面図
【図６】同水洗トイレ用冷房装置における冷房装置の風洞要部の第２例を示す側断面図
【図７】同水洗トイレ用冷房装置における冷房装置の風洞要部の第３例を示す側断面図
【符号の説明】
【００２８】
１  冷房装置
２  圧縮機
３  凝縮器
４  減圧装置
５  蒸発器
６  冷媒管
７  送風機
８  水タンク
９  外郭ケース
１０  冷風吹出し口
１１  風洞
１２  便器
【図１】
2005232684.tif 000003
【図２】
2005232684.tif 000004
【図３】
2005232684.tif 000005
【図４】
2005232684.tif 000006
【図５】
2005232684.tif 000007
【図６】
2005232684.tif 000008
【図７】
2005232684.tif 000009